(57)【要約】【課題】ラバージグを容易に作ることができ、ラバーの交換も簡易にすることができるジグヘッド用ラバーを提供する。【解決手段】シンカー３とフック４とを備えるジグヘッド２に装着するためのジグヘッド用ラバーであって、ラバー１０は、シリコン樹脂等の柔軟性を有する素材で薄片状の一枚のシートで形成され、フック４の先端から挿通されてシンカー３とフック４との境界近傍に位置するシンカーフック接続部分５にラバー１０を装着可能にする挿通孔１１を備える。【選択図】図１
0003206304.tif 000002
【実用新案登録請求の範囲】
【請求項１】
シンカーとフックとを備えるジグヘッドに装着するためのジグヘッド用ラバーであって、
シリコン樹脂等の柔軟性を有する素材で薄片状の一枚のシートで形成され、
前記フックの先端から挿通されてシンカーとフックとの境界近傍にジグヘッド用ラバーを装着可能にする挿通孔を備える
ことを特徴とするジグヘッド用ラバー。
【請求項２】
さらに、
前記シートに切り込みを入れて形成されるスカート部と、
前記スカート部を形成する切り込みの端部と前記挿通孔とが連通しないように設けられたスペースである挿通孔外周部とを備える
ことを特徴とする請求項１記載のジグヘッド用ラバー。
【請求項３】
シンカーとフックとを備えるジグヘッドと、ジグヘッドに装着されるラバーとを備えるラバージグであって、
前記ラバーは、
シリコン樹脂等の柔軟性を有する素材で薄片状の一枚のシートで形成され、
前記フックの先端から挿通されてシンカーとフックとの境界近傍に前記ラバーを装着可能にする挿通孔を備える
ことを特徴とするラバージグ。
【請求項４】
前記ラバーが装着されるシンカーとフックとの境界近傍のフック側に、前記挿通孔よりも径の大きい係止部を備える
ことを特徴とする請求項３記載のラバージグ。
【考案の詳細な説明】
【技術分野】
【０００１】
本考案は、ルアーフィッシング等に用いられるジグヘッド用ラバーおよびラバージグに関する。
【背景技術】
【０００２】
疑似餌（ルアー）の一種としてラバージグがある。ラバージグは、鉛等のシンカーにフックを取り付けてなるジグヘッドに多数のゴム糸等のラバー（スカート）を装着することで構成されている。このラバーが水中で揺れ動くことで対象魚の興味を惹き釣果の向上を図ることができる。
【０００３】
ラバーは、合成樹脂や天然ゴム、シリコン樹脂等の柔軟性を有する素材で構成されており、フックを取り囲むようにジグヘッドに固定されている。ジグヘッドへの固定は、シンカーとフックとの接続部分にラバーを配してゴムバンドや糸、針金等で巻きつけることが従来行われている（例えば、特許文献１参照。）。
【先行技術文献】
【特許文献】
【０００４】
【特許文献１】特開２０１６−２００６号公報
【考案の概要】
【考案が解決しようとする課題】
【０００５】
しかしながら、上記従来の固定の仕方では、帯状や糸状のラバーをジグヘッドに沿わせ、ラバーを均等に配してゴムバンドや針金等で結束しなければならず、誰でもが容易に作れるものではないという問題がある。
【０００６】
また、上記従来の固定の仕方では、一旦ジグヘッドにラバーを固定してラバージグを構成すると、ラバーの交換は結束を解除しなければならず手間がかかる。そのため、対象魚の食い気を探るために色や柄の異なるラバーを試したい場合は、ラバージグごと交換することが行われており、バリエーションを用意するためには多数のラバージグを持参しなければならないという問題もある。
【０００７】
そこで、本考案は、このような問題に鑑みなされたものであり、ラバージグを容易に作ることができ、簡単に交換することができるジグヘッド用ラバーを提供することを目的とし、ラバーの交換を容易にすることができるラバージグを提供することを目的とする。
【課題を解決するための手段】
【０００８】
上記課題を解決するために、本考案に係るジグヘッド用ラバーは、シンカーとフックとを備えるジグヘッドに装着するためのジグヘッド用ラバーであって、シリコン樹脂等の柔軟性を有する素材で薄片状の一枚のシートで形成され、前記フックの先端から挿通されてシンカーとフックとの境界近傍にジグヘッド用ラバーを装着可能にする挿通孔を備えることを特徴とする。
【０００９】
これによれば、ジグヘッドのシンカーとフックとの境界近くに挿通孔を通してラバーを挿し込むことができるようになり、ラバージグを容易に製作可能となる。また、挿し込みを抜き取るだけでラバーの交換も簡易化できる。
【００１０】
ここで、さらに、前記シートに切り込みを入れて形成されるスカート部と、前記スカート部を形成する切り込みの端部と前記挿通孔とが連通しないように設けられたスペースである挿通孔外周部とを備えるのが好ましい。
【００１１】
これによれば、水中で揺れ動いて対象魚を誘うスカート部の切り込みと挿通孔とが繋がって、ラバージグからラバーが外れてしまうことがないようにすることができる。
【００１２】
また、本考案は、シンカーとフックとを備えるジグヘッドと、ジグヘッドに装着されるラバーとを備えるラバージグであって、前記ラバーは、シリコン樹脂等の柔軟性を有する素材で薄片状の一枚のシートで形成され、前記フックの先端から挿通されてシンカーとフックとの境界近傍に前記ラバーを装着可能にする挿通孔を備えるラバージグとして実現することもできる。
【００１３】
このとき、前記ラバーが装着されるシンカーとフックとの境界近傍のフック側に、前記挿通孔よりも径の大きい係止部を備えるのが好ましい。
【００１４】
これによれば、装着されたラバーがフック側へ移動しないように規制することができる。
【考案の効果】
【００１５】
以上のように、本考案に係るジグヘッド用ラバーによれば、薄いシート状のラバーにフックの先端から挿通可能な孔が設けられているので、ジグヘッドのシンカーとフックとの境界近くに挿し込むことで、簡単にラバージグを製作することができるようになる。ラバーの交換も挿し込みを抜き取るだけで容易にできる。また、ラバーは薄片状であるため、小さいジグヘッドにも装着が可能であり、複数枚重ねて使用することもでき、形状や色の異なるラバーを用意すれば多種多彩なラバージグを容易に製作することができる。
【図面の簡単な説明】
【００１６】
【図１】ラバージグの構成を示す図である。
【図２】ジグヘッド用ラバーの構成例を示す図である。
【図３】ジグヘッド用ラバーの構成例を示す図である。
【図４】ジグヘッド用ラバーの構成例を示す図である。
【考案を実施するための形態】
【００１７】
以下、本考案の実施形態について図面を参照しながら説明する。
【００１８】
図１は、ラバージグの構成を示す図である。
【００１９】
本実施形態のラバージグ１は、疑似餌（ルアー）の一種であり、ジグヘッド２と、ジグヘッド２に装着されたシート状のラバー１０とを備えている。
【００２０】
ジグヘッド２は、鉛等のシンカー３とフック４とを備えている。シンカー３には釣り糸を取り付けるための糸取付部７が形成されており、シンカー３とフック４との接続部分となるシンカーフック接続部５にラバー１０が装着されている。
【００２１】
ラバー１０は、熱可塑性樹脂であるか熱硬化性樹脂であるかを問わずシリコン樹脂等の柔軟性を有する素材で構成されている一枚のシート状の部材であり、少なくとも１つの挿通孔１１が形成されている。この挿通孔１１はフック４の先端から通してシンカーフック接続部５にラバー１０を装着させるための孔である。ラバー１０がフック４の方へ移動しないようにシンカーフック接続部５のフック４側の端には、挿通孔１１よりも径の大きい係止部６が設けられている。挿通孔１１は柔軟性を有して伸縮性も備えているため、この係止部６を通過してシンカーフック接続部５に装着することができる。シンカーフック接続部５は、シンカー３のフック側直下で、フック４の軸の先端近くの、シンカー３とフック４との境界近傍に位置している。このシンカー３とフック４との境界近傍であれば、ワームキーパー部や針の軸部分にラバー１０を挿し込むことにしてもよい。
【００２２】
図２は、ジグヘッド用ラバーの構成例を示す図である。
【００２３】
ここではジグヘッド用ラバーとして、幅方向に長いラバー１０を示している。挿通孔１１は、幅方向の中間地点に設けられている。挿通孔１１は、シンカーフック接続部５への装着時に裂けないようにするため、角を持たない丸みのある形状とするのが好ましい。また、ラバー１０がシンカーフック接続部５に装着された後で使用中に移動することを防ぐために孔の径は、０．５ｍｍから５ｍｍの範囲とするのが好ましい。
【００２４】
ラバー１０は、熱可塑性樹脂または熱硬化性樹脂などの柔軟性のある薄片状のシートに切り込みを入れてスカート部１２が形成されている。このスカート部１２が水中でヒラヒラと揺れ動くことにより対象魚を誘い出す。スカート部１２を形成するための切り込み（スリット）が挿通孔１１に近すぎると、水中でのアクションを契機としてスリットと挿通孔１１とが連通してしまってラバー１０がジグヘッド２から外れてしまうおそれがある。そのため、挿通孔１１とスカート部１２を形成するスリットの端との間に挿通孔外周部１３を設け、挿通孔１１の外周からスリット端までの距離を２ｍｍ以上としてスリット端と挿通孔１１とが連通しないようスペースを設けて強度を確保している。また、強度を確保するうえでは、挿通孔１１と同径の孔を備えた透明のフィルムシートを挿通孔外周部１３に積層させ、挿通孔外周部１３を重層構造としてもよい。
【００２５】
図３は、ジグヘッド用ラバーの別の構成例を示す図である。ここでは、スカート部２２を上下左右にクロスさせたラバー２０を示している。挿通孔２１および挿通孔外周部２３は図２と共通している。
【００２６】
図４では、スカート部３２を放射状に配列したラバー３０を示している。挿通孔３１は図２および図３と共通しており、挿通孔外周部３３はスカート部３２の配列に合わせて六角形になっている点を除けば図２および図３と共通している。
【００２７】
このように構成されたジグヘッド用ラバーおよびラバージグによれば、様々な形状の一枚のラバーシートにフックの先端から挿通可能な孔を設け、この孔をジグヘッドのシンカーとフックとの接続部分に挿し込むことで、誰でも容易にラバージグを製作することができるようになる。またラバーの交換も挿し込みを抜き取るだけで簡易化されるので、多数のラバージグを用意する必要もなくなる。一枚のラバーシートは薄片状であるため、小型のジグヘッドにも装着することができ、様々な形状や色のラバーを複数枚重ねて使用することもできる。
【００２８】
以上、本考案に係るラバージグについて、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００２９】
例えば、上記実施の形態では、ラバーの素材はシリコン樹脂を用いるとしたが、柔軟性を有する素材であれば合成樹脂や天然ゴムなどであっても差し支えない。
【００３０】
また、ラバーの中心に挿通孔を１つ設ける例を示したが、挿通孔の位置は中心に限る必要はなく、１つに限る必要もない。挿通孔の外周とスカート部の切り込み端との距離を確保する挿通孔外周部が形成されていれば、挿通孔をラバーの中心から偏位した箇所に穿設してもよく、複数の挿通孔を穿設してもよい。
【００３１】
さらに、ここではジグヘッド用ラバーとして説明したが、各種シンカーや釣針、糸通し、その他の針付きおもり等に装着することを妨げる趣旨ではない。
【産業上の利用可能性】
【００３２】
本考案は、ルアーフィッシングに用いられるジグヘッド用ラバーおよびラバージグに適用可能である。
【符号の説明】
【００３３】
１  ラバージグ
２  ジグヘッド
３  シンカー
４  フック
５  シンカーフック接続部
６  係止部
７  糸取付部
１０，２０，３０  ラバー
１１，２１，３１  挿通孔
１２，２２，３２  スカート部
１３，２３，３３  挿通孔外周部
【図１】
0003206304.tif 000003
【図２】
0003206304.tif 000004
【図３】
0003206304.tif 000005
【図４】
0003206304.tif 000006